(57)【要約】【課題】街の景観を損うことなく、地上スペースの有効利用が図れる地上式消火栓のレイアウト構造を提供する。【解決手段】屋外の地上に固定設置される照明用ポール４に地上式消火栓１を内蔵させるレイアウト構造とした。また、地上式消火栓１をその側部に形成された放水口２ａが照明灯５からの光に照らされるように設置するレイアウト構造とした。【選択図】      図１
2005307494.tif 000002
【特許請求の範囲】
【請求項１】
屋外の地上に固定設置される柱状の公共物に地上式消火栓を内蔵させたことを特徴とする地上式消火栓のレイアウト構造。
【請求項２】
前記公共物は、少なくとも夜間に発光して地上に対する照明機能を有した発光体を備えたものからなる請求項１に記載の地上式消火栓のレイアウト構造。
【請求項３】
前記公共物は、照明用ポール、信号機のポール、道路標識のポールのいずれかである請求項２に記載の地上式消火栓のレイアウト構造。
【発明の詳細な説明】
【技術分野】
【０００１】
本発明は、地上に設置される地上式消火栓に関するものである。
【背景技術】
【０００２】
近年の消火栓は街の景観や地上スペースの有効利用等の観点からマンホールをあてがった埋設式のものが主流となっているが、積雪地帯等に限っては雪に埋もれた場合の作業性を考慮して地上に設置される形式の地上式消火栓（例えば特許文献１参照）が使用される場合が多い。
【特許文献１】特開平１０−１７６３４９号公報（第２頁、図１）
【発明の開示】
【発明が解決しようとする課題】
【０００３】
しかしながら、例えば降雪時期以外においては、従来の地上式消火栓では人目に触れやすくなるので街の景観を損ったり、通行の障害となりやすい。本発明は、このような問題に鑑みてなされたものであり、街の景観を損うことなく、地上スペースの有効利用が図れる地上式消火栓のレイアウト構造を提供することを目的としている。
【課題を解決するための手段】
【０００４】
前記課題を解決するため、本発明は、屋外の地上に固定設置される柱状の公共物に地上式消火栓を内蔵させる地上式消火栓のレイアウト構造とした。当該レイアウト構造によれば、公共物の設置スペースが地上式消火栓の設置スペースを兼ねることになるので、地上スペースの有効利用が図れ、また、地上式消火栓が公共物によって被蔽されるので街の景観が損われない。
【０００５】
さらに、本発明は、前記公共物は、少なくとも夜間に発光して地上に対する照明機能を有した発光体を備えたものからなる地上式消火栓のレイアウト構造とした。当該レイアウト構造によれば、夜間時における地上式消火栓周りの視認性に優れることとなり、より迅速な消火活動等が行えることとなる。なお、この場合の「地上に対する照明機能を有した」とは、発光体の本来の機能に限定されるものではなく、結果的に地上に対する照明機能を有していれば足りるものである。
【０００６】
また、本発明は、前記発光体を備えた公共物は、照明用ポール、信号機のポール、道路標識のポールのいずれかである地上式消火栓のレイアウト構造とした。当該レイアウト構造によれば、照明用ポールや信号機のポール、道路標識のポールは一般に道路脇に設置され、その設置数も多いことから、地上式消火栓の配置の自由度が広がることとなる。
【発明の効果】
【０００７】
本発明によれば、地上スペースの有効利用が図れ、地上式消火栓が公共物によって被蔽されるので街の景観が損われない。また、公共物と地上式消火栓とを別個に設置する場合に比して据え付け工事の簡略化及び工事費用の削減が可能になる。
【発明を実施するための最良の形態】
【０００８】
図１は本発明の地上式消火栓（以降、単に消火栓という）のレイアウト構造を示す側断面説明図、図２において（ａ）は図１における消火栓周りの詳細な側断面説明図、（ｂ）は（ａ）におけるＡ方向から見た側断面説明図である。
【０００９】
本発明では消火栓１自体の構造は公知のもので良い。図１において、消火栓１は、地面Ｇの上に設置される鉛直状の本体部２を有し、その側部には通常時はキャップ３によって被冠される放水口２ａが突設されるとともに、頂部には消火栓１に内蔵された流量制御弁（図示せず）を開閉操作するための、鉛直方向を軸方向とする操作軸２ｂが設けられている。通常時には前記流量制御弁は閉じられた状態にあり、消火栓１の使用時には、キャップ３を外したうえで操作軸２ｂを開方向に回転させることで前記流量制御弁が開き、放水口２ａから放水される。
【００１０】
本発明は、屋外の地上に固定設置される柱状の公共物に消火栓１を内蔵させるレイアウト構造としたことを主な特徴とする。本実施形態では、前記公共物として街灯などに用いられる照明用ポール４としている。照明用ポール４は地面Ｇから鉛直状に立ち上がり、上部は湾曲形成されてその先端には下方を照らす照明灯５が取り付けられている。照明用ポール４の中程には、消火栓１の存在を示すべく「消火栓」の文字が付された表示板Ｄが取り付けられている。
【００１１】
図２に示すように、照明用ポール４は、消火栓１の本体部２を内蔵する基胴部４ａと、この基胴部４ａの下端において拡径し、下縁に環状のフランジ６が固設された設置部４ｂとを備えた円筒形状を呈する部材であり、基胴部４ａに本体部２が内蔵されたうえで、フランジ６が消火栓１側に形成されたフランジ７にあてがわれて図示しないボルト及びナットにより締結固定されることにより、また必要に応じて設置部４ｂ周りがモルタルやアスファルト等によって固められることにより、地面Ｇに対して固定設置される。
【００１２】
この図１及び図２に示した実施形態では基胴部４ａの径寸法を比較的小径とし、鉛直状に形成された消火栓１の本体部２のみを内蔵して、横方向に突設された放水口２ａについては切欠き部を介して基胴部４ａから外部に突出させる構造としている。また、操作軸２ｂについては基胴部４ａ内に位置することとなるので、この操作軸２ｂの操作用として別途に基胴部４ａに切欠き窓を設ける構成や基胴部４ａの外部から操作軸２ｂを回転操作可能とする機構を設ける構成が必要となる。
【００１３】
本実施形態では、操作軸２ｂに対して傘歯車８ａ、８ｂからなる傘歯車機構８を介して水平方向を軸方向とした外部用操作軸９を設ける構造としている。照明用ポール４の外周部には環状の軸受部材１０が取り付けられており、外部用操作軸９はこの軸受部材１０に軸支されて基胴部４ａ内において水平状に延設され、その一端側が基胴部４ａ及び軸受部材１０から外部に突出して操作部９ａを構成している。基胴部４ａ内において、操作軸２ｂ側には傘歯車８ａが取り付けられ、これに噛合する傘歯車８ｂが外部用操作軸９に取り付けられている。したがって、図示しない工具を操作部９ａに取り付け、外部用操作軸９を開方向に回転させることで、傘歯車機構８を介して操作軸２ｂが開方向に回転する。このように、放水口２ａに関しては公共物（照明用ポール４）から外部に突出させ、操作軸２ｂの操作については傘歯車機構８等の動力伝達機構を介して公共物（照明用ポール４）の外部に突出する外部用操作軸９によって行う構成とすることにより、消火栓１の使用時にはホース接続作業や開栓作業を迅速に行えるようになる。
【００１４】
以上のように、屋外の地上に固定設置される柱状の公共物に消火栓１を内蔵させるレイアウト構造とすれば、以下に示す効果等が奏される。
（１）公共物の設置スペースが消火栓１の設置スペースを兼ねることになるので、地上スペースの有効利用が図れる。
（２）公共物と消火栓１とを別個に設置する場合に比して据え付け工事の簡略化及び工事費用の削減が可能になる。
（３）消火栓１の本体部２が公共物によって被蔽されるので、街の景観が損われない。
（４）消火栓１の本体部２が公共物によって被蔽されるので、風雨や雪等による塗装の剥がれといった問題もほぼ解消され、損傷を受けにくい構造となる。
（５）消火栓１の存在を示す表示板Ｄの取り付け部として別途にポール等を設ける必要がなく、公共物をそのまま利用できる。
【００１５】
なお、本発明でいう「屋外の地上に固定設置される柱状の公共物」の例としては、照明用ポール４の他に、信号機のポール、道路標識のポール等が挙げられる。
【００１６】
また、本実施形態の照明用ポール４のように、公共物が少なくとも夜間に発光する発光体（照明灯５を指す）を有するものである場合には、この発光体の光が夜間のホース接続作業や開栓作業に対する照明機能を担うので、夜間時の迅速な消火活動等が行えることになる。発光体としては結果的に夜間時にその公共物周りの地上を照らす照明機能を有するものであれば街灯用の照明に限定されるものではなく、例えば前記した信号機の信号灯も含まれる。また、前記した道路標識のポールについても、夜間時に該道路標識を照らす照明が備えられており、該照明が結果的に地上を照らす場合にはこの照明も前記発光体に該当する。以上の照明用ポールや信号機のポール、道路標識のポールは一般に道路脇に設置され、その設置数も多いことから、これらに消火栓１を内蔵させれば消火栓１の利便性の向上が図れ、配置の自由度も広がることとなる。
【００１７】
さらに、図１から判るように、放水口２ａが照明灯５に臨むように消火栓１を設置する構造とすれば、つまり、本実施形態の照明用ポール４のように、消火栓１の鉛直軸方向から偏位した位置において照明灯５を有するものである場合、放水口２ａが照明用ポール４の影の影響を受けることなく照明灯５からの光に照らされるように消火栓１を設置するレイアウト構造とすれば、放水口２ａが照明用ポール４の影側に位置する場合に比して、夜間時の視認性に優れることとなり、より迅速な消火活動等が行えることとなる。なお、「放水口２ａが照明灯５からの光に照らされる」という構成については、放水口２ａの位置する方向が照明灯５の偏位方向に厳密に一致している場合に限られず、放水口２ａが照明灯５による照明用ポール４の影に隠れない位置であれば良い。
【００１８】
次いで、図３は本発明の変形例を示す図であり、（ａ）は消火栓１周りの詳細な側断面説明図、（ｂ）は（ａ）におけるＢ−Ｂ断面図である。なお、本図において図１及び図２で示した部材と同一構成のものについては同一符号を付している。本変形例の特徴は、基胴部４ａを大径とすることで、本体部２に加えて放水口２ａをも照明用ポール４に内蔵する構造としたことにある。放水口２ａに臨む基胴部４ａの面部には矩形状の開口窓１１が形成されている。この開口窓１１の開口形状や開口面積については、放水口２ａへのホース接続作業や工具を介した操作軸２ｂの開栓作業に支障をきたさないように適宜に決定されるものである。
【００１９】
また、開口窓１１には、基胴部４ａに内嵌して基胴部４ａの軸方向回り、つまり鉛直方向の軸回りに回転可能な回転スライド式の扉体１２を設ける。通常時においては扉体１２は開口窓１１を閉じた状態にあり、消火栓１の使用時には扉体１２を回転スライドさせることで開口窓１１を開放させる。
【００２０】
本変形例では消火栓１全体が公共物によって被蔽されるので、図１や図２で示した実施形態の場合に比して放水口２ａ周りの損傷も防止される。また、通常時には全く人目に触れることがないので、いたずら等の抑止効果も奏される。さらに、扉体１２には必要に応じて錠を設けて通常時には施錠しておくようにすれば、いたずら等に対する防犯効果も奏される。なお、本変形例の場合も、放水口２ａの位置が開口窓１１を介して照明灯５からの光に照らされる位置となるように消火栓１を設置すれば、夜間時の視認性に優れることとなり、より迅速な消火活動等が行えることとなる。
【００２１】
以上、本発明について好適な実施形態を説明したが、各構成要素に関するレイアウトや形状、個数等については図面に記載したものに限定されるものではない。例えば前記扉体１２はヒンジ式の開閉扉としても良い。
【図面の簡単な説明】
【００２２】
【図１】本発明の地上式消火栓のレイアウト構造を示す側断面説明図である。
【図２】（ａ）は図１における地上式消火栓周りの詳細な側断面説明図、（ｂ）は（ａ）におけるＡ方向から見た側断面説明図である。
【図３】本発明の変形例の説明図であり、（ａ）は地上式消火栓周りの詳細な側断面説明図、（ｂ）は（ａ）におけるＢ−Ｂ断面図である。
【符号の説明】
【００２３】
１      消火栓（地上式消火栓）
２      本体部
２ａ    放水口
２ｂ    操作軸
４      照明用ポール（公共物）
４ａ    基胴部
５      照明灯（発光体）
【図１】
2005307494.tif 000003
【図２】
2005307494.tif 000004
【図３】
2005307494.tif 000005